(57)【要約】  基地局のリソースを分配するための方法、システム、装置を開示し、本発明はローカルセルのＦ−ＤＰＣＨリソースが十分に使用されることを可能にする。本発明では、ノードＢはローカルセルのＦ−ＤＰＣＨ能力をＲＮＣへ報告し、それによってこれはＦ−ＤＰＣＨを使用するか使用しないかについての決定基礎をＲＮＣへ提供する。ローカルセルがＦ−ＤＰＣＨをサポートするならば、ＵＥがＲＲＣ接続設定リクエストを開始するとき、ＲＮＣはＦ−ＤＰＣＨとＨＳＤＰＡリソースをＵＥへ分配するようにノードＢに指示し、そうでなければＲＮＣはＤＰＤＣＨとＤＰＤＣＣＨリソースをＵＥに分配するように指示する。ローカルセルのＦ−ＤＰＣＨ能力は新しいＩＥまたは監査応答メッセージおよびリソース状態指示メッセージの拡張された既存のＩＥで報告されることができる。【選択図】図２
2009527932.tif 000002
【特許請求の範囲】
【請求項１】
ノードＢによって、そのノードＢに属するローカルセルのフラクショナル専用物理的チャンネル能力情報を無線ネットワーク制御装置へ報告し、
無線ネットワーク制御装置によって、ノードＢにより報告されたフラクショナル専用物理的チャンネル能力情報にしたがってノードＢのリソースの分配について決定を行い、
無線ネットワーク制御装置により決定にしたがってリソース分配命令をノードＢへ送信し、
ノードＢによってリソース分配命令にしたがってリソースを分配するステップを含んでいる基地局ノード、即ちノードＢのリソースを分配する方法。
【請求項２】
ノードＢのリソースの分配について決定を行うステップは、
ローカルセルがフラクショナル専用物理的チャンネルをサポートしている場合には、ユーザ装置により開始される無線リソース制御接続設定リクエストを受信するときローカルセルにより提供されるサービスを使用するセル中のユーザ装置に対してフラクショナル専用物理的チャンネルおよび高速度ダウンリンクパケットアクセスリソースを分配するように無線ネットワーク制御装置によってノードＢに命令するステップを含んでいる請求項１記載のノードＢのリソースを分配する方法。
【請求項３】
ノードＢのリソースの分配について意思決定を行うプロセスは、
ユーザ装置により開始される無線リソース制御接続設定リクエストを受信するときローカルセルにより提供されたサービスを使用するセル中のユーザ装置に対して専用物理的データチャンネルおよび専用物理的制御チャンネルリソースを分配するように無線ネットワーク制御装置によってノードＢに命令するステップを含んでいる請求項２記載のノードＢのリソースを分配する方法。
【請求項４】
ノードＢに属するローカルセルのフラクショナル専用物理的チャンネル能力情報を無線ネットワーク制御装置へ報告するステップは、
無線ネットワーク制御装置から監査メッセージを受信するときローカルセルのフラクショナル専用物理的チャンネル能力情報をノードＢによって報告するステップを含んでいる請求項１記載のノードＢのリソースを分配する方法。
【請求項５】
ローカルセルのフラクショナル専用物理的チャンネル能力情報は「監査応答」メッセージによって請求項４記載のノードＢのリソースを分配する方法。
【請求項６】
ノードＢに属するローカルセルのフラクショナル専用物理的チャンネル能力情報を無線ネットワーク制御装置へ報告するステップは、
ローカルセルのフラクショナル専用物理的チャンネル能力情報が変更されたときローカルセルのフラクショナル専用物理的チャンネル能力情報をノードＢにより報告するステップを含んでいる請求項１記載のノードＢのリソースを分配する方法。
【請求項７】
ローカルセルのフラクショナル専用物理的チャンネル能力情報は「リソース状態指示」メッセージによって報告される請求項６記載のリソースを分配する方法。
【請求項８】
ノードＢに属するローカルセルのフラクショナル専用物理的チャンネル能力情報を無線ネットワーク制御装置へ報告するステップにおいて、ノードＢはローカルセルのフラクショナル専用物理的チャンネル能力情報を表すために新たに付加された情報要素を利用する請求項１記載のノードＢのリソースを分配する方法。
【請求項９】
ノードＢに属するローカルセルのフラクショナル専用物理的チャンネル能力情報を無線ネットワーク制御装置へ報告するプロセスにおいて、ノードＢはローカルセルのフラクショナル専用物理的チャンネル能力情報を表すために拡張された既存の情報要素を使用する請求項１記載のノードＢのリソースを分配する方法。
【請求項１０】
ローカルセルのフラクショナル専用物理的チャンネル能力情報を無線ネットワーク制御装置へ報告するように構成された能力情報報告装置と、
能力情報報告装置により報告されたフラクショナル専用物理的チャンネル能力情報にしたがって無線ネットワーク制御装置から送信されたリソース分配命令を受信するように構成された割当命令受信装置と、
割当命令受信装置により受信されたリソース分配命令にしたがってリソースを分配するように構成されたリソース割当装置とを具備している基地局ノード。
【請求項１１】
リソース割当て装置は、
リソース分配命令が第１の命令であるとき、フラクショナル専用物理的チャンネルおよび高速度ダウンリンクパケットアクセスリソースを分配するように構成されている第１の割当て装置と、
リソース分配命令が第２の命令であるとき、シグナリング及びデータを伝送するためにユーザ装置に対して専用物理的データチャンネルおよび専用物理的制御チャンネルリソースを分配するように構成されている第２の割当て装置とを具備している請求項１０記載のノード。
【請求項１２】
能力情報報告装置は監査報告装置であり、フラクショナル専用物理的チャンネル能力情報は無線ネットワーク制御装置へ報告される監査応答メッセージ中で伝送される請求項１０記載のノード。
【請求項１３】
能力情報報告装置はリソース状態変化通知装置であり、フラクショナル専用物理的チャンネル能力情報は無線ネットワーク制御装置へ報告されたリソース状態変更メッセージで伝送される請求項１０記載のノード。
【請求項１４】
ノードＢにより報告されたフラクショナル専用物理的チャンネル能力情報を得るように構成された能力情報獲得装置と、
能力情報獲得装置により得られたフラクショナル専用物理的チャンネル能力情報にしたがってノードＢのリソースの分配について決定の行うように構成された意思決定装置と、
意思決定装置により行われた決定にしたがってリソース分配命令をノードＢへ送信するように構成された割当命令送信装置を具備している無線ネットワーク制御装置。
【請求項１５】
意思決定装置は、
報告されたフラクショナル専用物理的チャンネル能力情報が「ケパブル」であるとき、ユーザ装置により開始される無線リソース制御接続設定リクエストに応答してユーザ装置に対してフラクショナル専用物理的チャンネルおよび高速度データリンクパケットアクセスリソースを分配するようにノードＢに命令するように構成されている第１の意思決定装置を具備している請求項１４記載の無線ネットワーク制御装置。
【請求項１６】
意思決定装置はさらに、
報告されたフラクショナル専用物理的チャンネル能力情報が「ケパブルでない」とき、ユーザ装置により開始される無線リソース制御接続設定リクエストに応答してユーザ装置に対して専用物理的データチャンネルおよび専用物理的制御チャンネルリソースを分配するようにノードＢに命令するように構成されている第２の意思決定装置を具備している請求項１５記載の無線ネットワーク制御装置。
【請求項１７】
能力情報獲得装置は、ノードＢにより報告された監査応答メッセージからローカルセルのフラクショナル専用物理的チャンネル能力情報を得るための監査メッセージ解析装置である請求項１４記載の無線ネットワーク制御装置。
【請求項１８】
能力情報獲得装置は、ノードＢにより報告されたリソース状態変更メッセージからローカルセルのフラクショナル専用物理的チャンネル能力情報を得るためのリソース状態変更解析装置である請求項１４記載の無線ネットワーク制御装置。
【請求項１９】
割当命令送信装置は無線リンク設定リクエスト装置であり、決定に対応するチャンネル情報は無線リンク設定リクエストメッセージ中で伝送される請求項１４記載の無線ネットワーク制御装置。
【請求項２０】
ノードＢと無線ネットワーク制御装置を具備している移動体通信システムにおいて、
ノードＢはローカルセルのフラクショナル専用物理的チャンネル能力情報を無線ネットワーク制御装置へ報告し、無線ネットワーク制御装置からリソース分配命令を受信し、リソース分配命令にしたがってリソースを分配するように構成され、
無線ネットワーク制御装置は報告されたフラクショナル専用物理的チャンネル能力情報を得て、フラクショナル専用物理的チャンネル能力情報にしたがってノードＢのリソース分配について意思決定を行い、リソース分配命令をノードＢへ送信するように構成されている移動体通信システム。
【請求項２１】
ノードＢは、
ローカルセルのフラクショナル専用物理的チャンネル能力情報を無線ネットワーク制御装置へ報告するための能力情報報告装置と、
能力情報報告装置により報告されたフラクショナル専用物理的チャンネル能力情報にしたがって無線ネットワーク制御装置から送信されたリソース分配命令を受信するための割当命令受信装置と、
リソース分配命令が第１の命令であるとき、ユーザ装置に対してフラクショナル専用物理的チャンネルおよび高速度ダウンリンクパケットアクセスリソースを分配する第１の割当て装置と、
リソース分配命令が第２の命令であるとき、シグナリングとデータを伝送するためにユーザ装置に対して専用物理的データチャンネルおよび専用物理的制御チャンネルリソースを分配する第２の割当て装置とを具備している請求項２０記載の移動体通信システム。
【請求項２２】
無線ネットワーク制御装置は、
ノードＢにより報告されたフラクショナル専用物理的チャンネル能力情報を得るための能力情報獲得装置と、
報告されたフラクショナル専用物理的チャンネル能力情報が「ケパブル」であるときユーザ装置により開始される無線リソース制御接続設定リクエストに応答してユーザ装置に対してフラクショナル専用物理的チャンネルおよび高速度ダウンリンクパケットアクセスリソースを分配するようにノードＢに命令する第１の意思決定装置と、
決定実効装置の決定にしたがってノードＢへリソース分配命令を送信する割当命令送信装置とを具備している請求項２０記載の移動体通信システム。
【請求項２３】
無線ネットワーク制御装置はさらに、
報告されたフラクショナル専用物理的チャンネル能力情報が「ケパブルでない」ときユーザ装置により開始される無線リソース制御接続設定リクエストに応答してユーザ装置に対する専用物理的データチャンネルおよび専用物理的制御チャンネルリソースを分配するようにノードＢに命令するように構成されている第２の意思決定装置を具備している請求項２２記載の移動体通信システム。
【発明の詳細な説明】
【技術分野】
【０００１】
本発明は、移動体通信技術に関し、特に移動体通信システムおよびその基地局ノードのリソースを分配するための方法および装置に関する。
【背景技術】
【０００２】
本出願は2006年１月19日に提出された中国特許出願第200610003809.5号明細書（発明の名称“Method for Distributing Resources of Base Station Node”）の優先権を主張しており、この明細書の全体をここでは全ての目的で参考文献として組み込んでいる。
【０００３】
高速度ダウンリンクパケットアクセス（ＨＳＤＰＡ）技術と高速度アップリンクパケットアクセス（ＨＳＵＰＡ）技術の両者は第３世代（３Ｇ）の移動体通信技術の重要な発展である。データパケットのスケジュール化、ＨＳＤＰＡとＨＳＵＰＡの再送信等は基地局ノード（以下ノードＢ）により制御される。この種の制御はより高速度で、より良好にチャンネル変化に適合することができ、送信遅延を減少し、データのスループットを増加する。
【０００４】
２つのダウンリンクの物理的チャンネルと１つのアップリンクの物理的チャンネルはユーザ装置（ＵＥ）のデータの高速度送信のためにＨＳＤＰＡ技術に新たに付加され、それらはそれぞれダウンリンクユーザデータを伝送するための高速度物理的ダウンリンク共有チャンネル（ＨＳ−ＰＤＳＣＨ）と、ダウンリンク制御情報を伝送するための高速度共有制御チャンネル（ＨＳ−ＳＣＣＨ）と、ＵＥのアップリンクフィードバック情報を伝送するための高速度専用物理的制御チャンネル（ＨＳ−ＤＰＣＣＨ）である。基地局はデータが正確に受信されたか否かについての情報をＨＳ−ＤＰＣＣＨを通して獲得し、正確に受信されていないならば、再送信を開始し、そうでなければ新しいデータを送信する。
【０００５】
特別なダウンリンク専用チャンネルとして、ＨＳＤＰＡ技術と組合されたフラクショナル専用物理的チャンネル（Ｆ−ＤＰＣＨ）がダウンリンクチャンネル化コードの利用効率を効率的に改良するためダウンリンク専用物理的データチャンネル（ＤＰＤＣＨ）／専用の物理的制御チャンネル（ＤＰＣＣＨ）と置換されることができ、従来技術で紹介されている。したがって、加入者がボイスオーバーＩＰ（ＶｏＩＰ）のようなパケットスイッチ（ＰＳ）ドメイン関連サービスを行うとき、Ｆ−ＤＰＣＨは分離されたダウンリンク専用物理的チャンネルリソースを分配する必要なく、シグナリング無線ベアリング（ＳＲＢ）をＨＳＤＰＡへマップするためにダウンリンクでＨＳＤＰＡと協同して使用されることができ、それによってシステムのダウンリンクチャンネル化コードのダウンリンク容量と利用効率を改良する。
【０００６】
従来技術では、Ｆ−ＤＰＣＨをサポートするためのＵＥの能力（capability）の規定はＨＳ−ＰＤＳＣＨをサポートする情報要素（ＩＥ）により表され、ＵＥがＨＳ−ＰＤＳＣＨをサポートするならば、これはＦ−ＤＰＣＨもサポートしなければならない。しかしながらローカルセルがＦ−ＤＰＣＨをサポートするか否かについてノードＢのローカルセルの能力セットには規定されていないので、制御する無線ネットワーク制御装置（ＣＲＮＣ）はノードＢのローカルセルがＦ−ＤＰＣＨをサポートするか否かを知ることができない。
【０００７】
図１に示されているように、従来技術のノードＢのリソースを分配する方法は以下のプロセスを含んでいる。  
プロセス101では、サービスする無線ネットワーク制御装置（ＳＲＮＣ）／ＣＲＮＣはノードＢに対して監査リクエストメッセージを送信する。  
プロセス102では、ノードＢは監査応答メッセージを返送する。  
プロセス103では、ＳＲＮＣ／ＣＲＮＣはローカルセルが応答メッセージを受信するときＦ−ＤＰＣＨをサポートするか否かを知ることができない。
【０００８】
プロセス104では、セルはローカルセルで設定される。
【０００９】
プロセス105では、ローカルセルにより提供されるサービスを使用するセル中のＵＥは無線リソース制御（ＲＲＣ）接続の設定、即ちＰＳドメインにおけるシグナリング接続の設定をリクエストする。
【００１０】
プロセス106では、ＳＲＮＣ／ＣＲＮＣはデータとＵＥのシグナリングを伝送するためにノードＢにＵＥに対してＤＰＤＣＨとＤＰＣＣＨを分配するように命令する。ＳＲＮＣ／ＣＲＮＣは分配命令にしたがって無線リンク設定リクエストメッセージをノードＢへ送信する。Ｆ−ＤＰＣＨチャンネル情報はリクエストメッセージで伝播されない。
【００１１】
それ故、Ｆ−ＤＰＣＨはＲＮＣとＵＥとの間に設けられた無線リソース制御（ＲＲＣ）接続と共に使用されない。
【００１２】
実際の応用では、従来技術の前述の方法はＦ−ＤＰＣＨリソースが十分に使用されない欠点を有する。
【００１３】
この問題の主な理由はＲＮＣがノードＢのＦ−ＤＰＣＨ能力情報を得ることができず、それはＲＮＣがＦ−ＤＰＣＨリソースを分配する戦略をダイナミックに調節できなくするためであり、したがってＦ−ＤＰＣＨリソースは十分に使用されることができない。
【発明の開示】
【発明の概要】
【００１４】
本発明の実施形態によれば、ノードＢのリソースを分配するための方法、システム、装置は提供され、それによってローカルセルのＦ−ＤＰＣＨリソースが十分に使用されることができる。
【００１５】
本発明の１実施形態によるノードＢのリソースを分配する方法は、
ノードＢによって、そのノードＢに関連するローカルセルのＦ−ＤＰＣＨ能力情報をＲＮＣへ報告し、
ＲＮＣによって、ノードＢにより報告された情報にしたがってノードＢのリソースの分配について決定を行い、その決定にしたがってリソース分配命令をノードＢへ送信し、
ノードＢによってリソース分配命令にしたがってリソースを分配するステップを含んでいる。
【００１６】
本発明の別の実施形態はノードＢを提供し、そのノードＢは、
ローカルセルのＦ−ＤＰＣＨ能力情報をＲＮＣへ報告するための能力情報報告装置と、
能力情報報告装置により報告されたＦ−ＤＰＣＨ能力情報にしたがってＲＮＣから送信されたリソース分配命令を受信するための割当命令受信装置と、
割当命令受信装置により受信されたリソース分配命令にしたがってリソースを分配するためのリソース割当装置とを含んでいる。
【００１７】
本発明のさらに別の実施形態は無線ネットワーク制御装置を提供し、この無線ネットワーク制御装置は、
ノードＢにより報告されたＦ−ＤＰＣＨ能力情報を得るための能力情報獲得装置と、
能力情報獲得装置により得られたＦ−ＤＰＣＨ能力情報にしたがってノードＢのリソースの分配について決定の実行をする意思決定装置と、
意思決定装置により行われた決定にしたがってリソース分配命令をノードＢへ送信するための割当命令送信装置とを含んでいる。
【００１８】
本発明のさらに別の実施形態はノードＢとＲＮＣを含んでいる移動体通信システムを提供し、ノードＢはローカルセルのＦ−ＤＰＣＨ能力情報をＲＮＣへ報告し、ＲＮＣからリソース分配命令を受信し、命令にしたがってリソースを分配するように構成され、ＲＮＣは報告されたＦ−ＤＰＣＨ能力情報を得て、その能力情報にしたがってノードＢのリソース分配について意思決定を行い、リソース分配命令をノードＢへ送信するように構成されている。
【００１９】
本発明の実施形態では、ノードＢはローカルセルのＦ−ＤＰＣＨ能力をＲＮＣへ報告し、ＲＮＣはＦ−ＤＰＣＨを使用するか否かを決定するためにＲＮＣの意思決定の基礎を提供する。ＲＮＣはローカルセルの報告されたＦ−ＤＰＣＨ能力情報に基づいてノードＢのローカルセルのＦ−ＤＰＣＨ能力情報を正確に知ることができ、それはＦ−ＤＰＣＨリソースの使用についてのＲＮＣの意思決定を容易にし、したがってシステムのダウンリンクチャンネル化コードのダウンリンク容量および利用効率を改良するために十分にＦ−ＤＰＣＨとＨＳＤＰＡの組合せを利用する。
【発明を実施するための最良の形態】
【００２０】
本発明はさらに、その目的、技術的解決策、利点をより良好に理解するために添付図面を参照にして説明する。
【００２１】
本発明の実施形態によれば、ノードＢのローカルセルのＦ−ＤＰＣＨ能力はノードＢアプリケーション部（ＮＢＡＰ）プロトコルのローカルセルの能力セット中に新しい情報要素（ＩＥ）を導入するかオリジナルＩＥを拡張することにより示され、それによってＦ−ＤＰＣＨを使用するか否かを決定するためにＲＮＣに対する意思決定の基礎を提供する。
【００２２】
本発明の第１の実施形態によるノードＢのリソースの分配方法が図２に示されており、それにおいて、ＲＮＣはノードＢにより監査され報告されたＦ−ＤＰＣＨ能力情報にしたがってリソース分配の意思決定を行う。
【００２３】
プロセス201では、ＳＲＮＣ／ＣＲＮＣは監査リクエストメッセージをノードＢへ送信する。
【００２４】
プロセス202では、ノードＢに属するローカルセルの能力セット中に新たに付加されたＩＥ情報にしたがって、ノードＢはそのノードＢに属するローカルセルがこのメッセージ中のＦ−ＤＰＣＨをサポートするか否かについての監査応答メッセージ報告情報を返送する。
【００２５】
新たに付加されたＩＥは“Ｆ−ＤＰＣＨ能力（フラクショナル専用物理的チャンネル能力）”と呼ばれることができ、その実行形態が表１に示されている。
【表１】
2009527932.tif 000003
【００２６】
本発明の１実施形態では、ＩＥ“Ｆ−ＤＰＣＨ能力”の特定の定義が表２に示されている。
【表２】
2009527932.tif 000004
【００２７】
プロセス203では、応答メッセージを受信するとき、ＳＲＮＣ／ＣＲＮＣはローカルセルが新たに付加されたＩＥ情報にしたがってＦ−ＤＰＣＨをサポートし、セルをローカルセルにおいて設定することを知る。
【００２８】
プロセス204では、（ローカルセルにより提供されるサービスを使用する）セル中のＵＥはＲＲＣ接続の設定をリクエストし、即ちＰＳドメインでのシグナリング接続を設定する。
【００２９】
プロセス205では、ノードＢにより報告される情報がＵＥにより開始されたＲＲＣ接続設定リクエストを受信するときＦ−ＤＰＣＨをサポートすることを示すので、ＳＲＮＣ／ＣＲＮＣはＵＥのシグナリング及びデータを伝送するためにＵＥに対してＦ−ＤＰＣＨとＨＳＤＰＡチャンネルリソースを分配するようにノードＢに命令する。
【００３０】
ＳＲＮＣ／ＣＲＮＣはその分配命令にしたがってノードＢへ無線リンク設定リクエストメッセージを送信し、Ｆ−ＤＰＣＨチャンネル情報は無線リンク設定リクエストメッセージ中で伝送される。
【００３１】
プロセス206では、ノードＢは無線リンク設定応答メッセージを返送する。
【００３２】
プロセス207では、ノードＢとＳＲＮＣ／ＣＲＮＣとの間の送信ベアラはユーザ平面と同期される。
【００３３】
プロセス208では、ＳＲＮＣ／ＣＲＮＣはＲＲＣ接続設定メッセージをＵＥへ送信する。
【００３４】
プロセス209では、ＵＵ（ＲＮＣとＵＥとの間のインターフェース）は同期され、そのときＦ−ＤＰＣＨがダウンリンク同期で使用される。
【００３５】
プロセス210では、ＵＥはＲＲＣ接続設定メッセージを返送する。
【００３６】
前述の監査及び報告方法にしたがって、当業者はローカルセルの実時間のＦ−ＤＰＣＨ能力情報を周期的に監査し報告することにより、ＲＮＣがノードＢのローカルセルのＦ−ＤＰＣＨ能力を正確に知ることができ、それはＦ−ＤＰＣＨリソースを使用することについてＲＮＣの意思決定を容易にし、それによってシステムのダウンリンクチャンネル化コードのダウンリンク容量および利用効率を改良するためにＦ−ＤＰＣＨおよびＨＳＤＰＡの組合せを十分に使用することを認識すべきである。
【００３７】
さらに、ローカルセルがＦ−ＤＰＣＨをサポートしないならば、ＳＲＮＣ／ＣＲＮＣはリソースを分配するために従来技術の方法を使用することができ、例えばＳＲＮＣ／ＣＲＮＣはＵＥのシグナリングとデータを伝送するためにＵＥに対してＤＰＤＣＨとＤＰＣＣＨを分配するようにノードＢに命令することができることを説明すべきである。
【００３８】
本発明の第２の実施形態によるノードＢのリソースを分配する方法が図３に示されている。前述の周期的な編集及び報告方法にしたがってローカルセルの実時間Ｆ−ＤＰＣＨ能力情報を得ることは別にして、ローカルセルのリソース状態が変更されるときリソース状態指示メッセージを使用して変更情報を報告することによりローカルセルのＦ−ＤＰＣＨ能力情報を得ることもまた可能である。
【００３９】
プロセス301では、ＳＲＮＣ／ＣＲＮＣにはローカルセルのＦ−ＤＰＣＨ能力情報が存在せず、ＳＲＮＣ／ＣＲＮＣは監査リクエストメッセージをノードＢへ送信する。
【００４０】
プロセス302はプロセス202に類似しており、ノードＢは例えばローカルセルがＦ−ＤＰＣＨをサポートするという監査応答メッセージを使用して能力情報をＳＲＮＣ／ＣＲＮＣへ報告する。
【００４１】
プロセス303はプロセス203と類似しており、ＳＲＮＣ／ＣＲＮＣは監査応答メッセージに基づいてローカルセルのＦ−ＤＰＣＨ能力が「ケパブル」（能力がある）であることを知り、ローカルセルでセルを設定する。
【００４２】
プロセス304では、Ｆ−ＤＰＣＨとＨＳ−ＤＳＣＨを通してＵＥはローカルセルによりサービスが提供されるセルにより提供されるサービスを使用する。
【００４３】
プロセス305において、ローカルセルのリソース状態が変更されると、例えば単一のボード故障のためにローカルセルのＦ−ＤＰＣＨ能力が「ケパブル」から「ケパブルでない」へ変更されると、ノードＢは「リソース状態指示」メッセージにより変更情報をＳＲＮＣ／ＣＲＮＣへ報告する。
【００４４】
本発明の第２の実施形態では、ローカルセルのＦ−ＤＰＣＨ能力が「ケパブル」から「ケパブルでない」へ変更される例を取ると、変更されたＦ−ＤＰＣＨ能力情報（ケパブルでない）は表３に示されているようにメッセージ中で伝送されることができる。
【表３】
2009527932.tif 000005
【表４】
2009527932.tif 000006
【００４５】
プロセス306では、ＳＲＮＣ／ＣＲＮＣはメッセージにしたがってローカルセルのＦ−ＤＰＣＨ能力が「ケパブル」から「ケパブルでない」へ変更され、それはＦ−ＤＰＣＨダウンリンク同期故障となることを知り、ローカルセルにより提供されるサービスを使用するセル中のＦ−ＤＰＣＨチャンネルを使用してＳＲＮＣ／ＣＲＮＣに全てのＵＥの無線リソースを解放させ、何等かの新しいＦ−ＤＰＣＨが設定されることを禁止する。
【００４６】
以下、ＤＰＤＣＨ／ＤＰＣＣＨおよびＨＳＤＰＡはＵＥの新しいサービスリクエストをサポートするために使用される。
【００４７】
さらに、幾らかの変更、例えばＦ−ＤＰＣＨ能力の「ケパブルでない」から「ケパブル」への変更（例えば単一のボードの機能の拡張）およびＦ−ＤＰＣＨ能力の「未知」から「既知」への変更もまた「リソース状態指示」メッセージにより報告されることができることが理解できる。
【００４８】
全ての前述の実施形態では、Ｆ−ＤＰＣＨ能力情報は新たに付加されたＩＥにおいて転送される。「監査応答」メッセージまたは「リソース状態指示」メッセージ中の既存のＩＥを拡張し、拡張されたＩＥのＦ−ＤＰＣＨ能力情報を転送することも可能である。
【００４９】
図４を参照すると、本発明の１実施形態による移動体通信システムを示すブロック図が示されている。
【００５０】
この移動体通信システムはＵＥ500へサービスを提供でき、このシステムはノードＢ410と無線ネットワーク制御装置420を含んでいる。
【００５１】
ノードＢ410はローカルセルのＦ−ＤＰＣＨ能力情報をＲＮＣ420へ報告し、ＲＮＣ420からリソース分配命令を受信し、その命令にしたがってリソースを分配するように構成されている。
【００５２】
ＲＮＣ420は報告されたＦ−ＤＰＣＨ能力情報を獲得し、能力情報にしたがってノードＢ410のリソースの分配について意思決定をし、リソース分配命令をノードＢ410へ送信するように構成されている。
【００５３】
決定は次のように行われることができる。ローカルセルがＦ−ＤＰＣＨをサポートする場合には、ＲＮＣ420はローカルセルにより提供されるサービスを使用するセル中のＵＥ500により開始されるＲＲＣ接続設定リクエストを受信するとき、シグナリングとデータを伝送するためにＵＥ500に対してＦ−ＤＰＣＨおよびＨＳＤＰＡチャンネルリソースを分配するようにノードＢ410に命令する。
【００５４】
意思決定はまた以下のように行われることができる。ノードＢ410に属するローカルセルがＦ−ＤＰＣＨをサポートしないならば、ＲＮＣ420はローカルセルにより提供されるサービスを使用するセル中のＵＥ500により開始されるＲＲＣ接続設定リクエストを受信するとき、シグナリングとデータを伝送するためＵＥ500のＤＰＤＣＨとＤＰＣＣＨリソースを分配するようにノードＢ410に命令する。
【００５５】
１実施形態では、ノードＢ410はそれが属するローカルセルの能力セット中に新たに付加されたＩＥまたは拡張された既存のＩＥによってＦ−ＤＰＣＨ能力情報をＲＮＣ420へ報告することができる。Ｆ−ＤＰＣＨ能力情報はＲＮＣ420へ転送される「監査応答」メッセージまたは「リソース状態指示」メッセージ中で伝送されることができる。
【００５６】
図５を参照すると、本発明の１実施形態によるノードＢを示すブロック図が示されている。
【００５７】
ノードＢ410はローカルセルのＦ−ＤＰＣＨ能力情報をＲＮＣ420へ報告するための能力情報報告装置411と、能力情報報告装置411により報告されたＦ−ＤＰＣＨ能力情報にしたがってＲＮＣ420から送信されたリソース分配命令を受信するための割当命令受信装置412と、割当命令受信装置412により受信されたリソース分配命令にしたがってリソースを分配するためのリソース割当装置413とを含んでいる。
【００５８】
リソース割当装置413はリソース分配命令が第１の命令であるときＵＥのシグナリング及びデータを伝送するためＵＥに対するＦ−ＤＰＣＨおよびＨＳＤＰＡリソースを分配するための第１の割当装置4131と、リソース分配命令が第２の命令であるときＵＥのシグナリング及びデータを伝送するためＵＥに対するＤＰＤＣＨおよびＤＰＣＣＨリソースを分配するため第２の割当装置4132とを含んでいる。
【００５９】
特定の実施形態では、能力情報報告装置411は監査報告装置であってもよい。このような場合には、ローカルセルのＦ−ＤＰＣＨ能力情報はＲＮＣ420へ報告された監査応答メッセージ中で伝送される。代わりに、能力情報報告装置411はリソース状態変更通知装置であってもよく、ローカルセルのＦ−ＤＰＣＨ能力情報はＲＮＣ420へ報告されたリソース状態変更メッセージ中で伝送される。
【００６０】
Ｆ−ＤＰＣＨ能力情報は新たに付加されたＩＥまたは拡張された既存のＩＥにより表されることができる。
【００６１】
図６を参照すると、本発明の１実施形態にしたがったＲＮＣを示すブロック図が示されている。
【００６２】
ＲＮＣ420はノードＢ410により報告されるＦ−ＤＰＣＨ能力情報を得るための能力情報獲得装置421と、能力情報獲得装置421により得られたＦ−ＤＰＣＨ能力情報にしたがってノードＢ410のリソース分配について意思決定を行うための意思決定装置422と、意思決定装置422により行われた決定にしたがってノードＢ410にリソース分配命令を送信するための割当命令送信装置423とを含んでいる。
【００６３】
意思決定装置422は、報告されたＦ−ＤＰＣＨ能力情報が「ケパブル」であるときＵＥにより開始されるＲＲＣ接続設定リクエストに応答してシグナリング及びデータを伝送するためにＵＥに対してＦ−ＤＰＣＨおよびＨＳＤＰＡリソースを分配するようにノードＢ410に命令するための第１の意思決定装置4221を含んでいる。
【００６４】
意思決定装置422は、報告されたＦ−ＤＰＣＨ能力情報が「ケパブルでない」とき、ＵＥにより開始されるＲＲＣ接続設定リクエストに応答してシグナリング及びデータを伝送するためＵＥに対してＤＰＤＣＨおよびＤＰＣＣＨリソースを分配するようにノードＢ410に命令するための第２の意思決定装置4222も含んでいる。
【００６５】
特定の実施形態では、能力情報獲得装置421はノードＢ410により報告された監査応答メッセージからローカルセルのＦ−ＤＰＣＨ能力情報を得るための監査メッセージ解析装置であってもよい。代わりに、能力情報獲得装置421はノードＢ410により報告されたリソース状態変更メッセージからローカルセルのＦ−ＤＰＣＨ能力情報を得るためのリソース状態変更解析装置であってもよい。
【００６６】
Ｆ−ＤＰＣＨ能力情報は新たに付加されたＩＥまたは拡張された既存のＩＥにより表されることができる。
【００６７】
割当命令送信装置423は無線リンク設定リクエスト装置であってもよく、このような場合には、決定に対応するチャンネル情報は無線リンク設定リクエスト装置により送信されるリクエストメッセージ中で伝送される。
【００６８】
本発明をある好ましい実施形態を参照にして例示し説明したが、本発明はそれに限定されない。当業者は種々の変更及び変形が特許請求の範囲により規定されているように本発明の技術的範囲から逸脱せずに行われることができることを認識すべきである。
【図面の簡単な説明】
【００６９】
【図１】従来技術によるノードＢのリソースの分配方法を示すフローチャート。
【図２】本発明の第１の実施形態によるノードＢのリソースの分配方法を示すフローチャート。
【図３】本発明の第２の実施形態によるノードＢのリソースの分配方法を示すフローチャート。
【図４】本発明の１実施形態による移動体通信システムを示すブロック図。
【図５】図４に示されているノードＢの１実施形態をより詳細に示すブロック図。
【図６】図４に示されているＲＮＣの１実施形態をより詳細に示すブロック図。
【図１】
2009527932.tif 000007
【図２】
2009527932.tif 000008
【図３】
2009527932.tif 000009
【図４】
2009527932.tif 000010
【図５】
2009527932.tif 000011
【図６】
2009527932.tif 000012
【国際調査報告】
2009527932.tif 000013
2009527932.tif 000014
2009527932.tif 000015
2009527932.tif 000016